(57)【要約】  【課題】省電力モードを備えた電子機器において、省電力モード時に、遠隔制御装置からの制御信号や、強制自動スイッチの状態信号を受け付けると共に、これらを制御する電子機器を提供する。  【解決手段】制御手段に、遠隔制御装置からの制御信号や、強制自動スイッチの状態信号を起動信号として接続すると共に、リモコン受信回路で受信した起動信号と機器外部から入力した起動信号とに対応して省電力モードを一括管理する状態判断モードを設ける。また、状態判断モードは、起動信号の有効確認ステップ11と、電子機器の制御対象ブロックの停止を表す複数の省電力モード移行条件満足確認ステップ12と、この２つのステップの条件が満たされた時に省電力モードへ移行するステップ14とを備える構成にする。【選択図】図５
2007221397.tif 000002
【特許請求の範囲】
【請求項１】
赤外線リモコン受信回路を制御する制御手段の指示により同制御手段の動作クロックが停止され、所定の起動信号により前記制御手段の動作クロックが起動される省電力モードと、前記動作クロックが起動して通常動作を行なう通常モードとを切り換えて動作するリモコン受信回路を備えた電子機器において、
前記制御手段に、前記電子機器の運転を機器の外部から指示する遠隔制御装置からの制御信号や前記電子機器を強制運転させる強制自動スイッチなどの信号を前記起動信号として入力すると共に、
前記リモコン受信回路で受信した前記起動信号と機器外部からの前記起動信号とに対応して前記省電力モードを一括管理する状態判断モードを設けたことを特徴とするリモコン受信回路を備えた電子機器。
【請求項２】
前記状態判断モードは、前記起動信号が有効であることを確認するステップと、前記電子機器の制御対象ブロックの停止を表す複数の省電力モード移行条件がすべて満足されたこと確認するステップと、前記省電力モードへ移行するステップとを備えてなることを特徴とする請求項１記載のリモコン受信回路を備えた電子機器。
【発明の詳細な説明】
【技術分野】
【０００１】
本発明は、赤外線リモコン受信回路を備えた電子機器に係わり、より詳細には、リモコン受信の制御手段自身の動作クロックを停止させる省電力モードを備えた電子機器において、省電力モードを解除する複数の信号に対応して省電力モードを制御する制御手段に関する。
【背景技術】
【０００２】
従来、リモコン信号受信回路を備えた電子機器は、図６のブロック図に示す省電力装置があった。
図６において、符号１１は、赤外線を用いた遠隔操作機能の受信手段であるリモートコントロール受光回路（以下、リモコン受光回路という）で、図示されていない遠隔操作機能の送信手段から発信された赤外線によるキーコード信号を受光増幅検波し、波形整形後、リモコンパルスコードとして出力する。
【０００３】
リモコン受光回路１１の出力は、電子機器を構成する各種回路及び動作機能を制御する制御用マイクロコンピュータ（以下、制御マイコンという）１２に供給される。制御マイコン１２は、リモコン受光回路１１から供給されたリモコンパルスコードに応じて、電子機器を構成する信号処理回路や動作機能を制御する回路等を制御するシステム・マイコン部１２ａと、時計機能や電子機器の動作表示を制御するタイマー・マイコン部１２ｂとを有している。
【０００４】
このタイマー・マイコン部１２ｂは、システム・マイコン部１２ａの基準クロック信号とは異なる独立した数十キロヘルツの基準クロック信号で動作しており、たとえ商用電源が切断されたとしても、バックアップ用の電池を用いて動作し、時計機能を維持するようになっている。
【０００５】
一方、制御マイコン１２のシステム・マイコン１２ａからの制御信号は、電子機器を構成する各種信号処理回路や動作機能を制御する回路等から構成される信号処理・動作回路１３に出力され、制御マイコン１２のタイマー・マイコン１２ｂで生成された時刻や動作表示は、図示されていない表示手段に出力される。
【０００６】
そして、信号処理・動作回路１３には動作電源を供給する主電源回路１４が接続されており、主電源回路１４は制御マイコン１２からの指示に従って、信号処理・動作回路１３への動作電源供給をオン・オフする。制御マイコン１２には、基準クロック信号を供給するクロック発生回路１５が接続されている。
【０００７】
リモコン受光回路１１、制御マイコン１２及びクロック発生回路１５には、動作電源を供給する待機用電源回路１６が接続されている。主電源回路１４と待機用電源回路１６は、主電源スイッチ１７を介して商用電源に接続されている。
【０００８】
再起動信号発生回路１８は、待機用電源回路１６から供給される動作電源により動作し、リモコン受光回路１１からの特定のリモコンパルスコードに応じて起動信号を生成し、制御マイコン１２を再起動させるようになっている。
【０００９】
次に、この省電力装置の動作について説明すると、最初に主電源スイッチ１７がオンされ、商用電源は、主電源回路１４と待機用電源回路１６に供給される。この時、主電源回路１４は、リモコン受光回路１１から供給された電源操作用のリモコンパルスコードにより、制御マイコン１２で生成された電源モードでオフされており、主電源回路１４から信号処理・動作回路１３には動作電源が供給されておらず、リモコン受光回路１１、制御マイコン１２、クロック発生回路１５及び再起動信号発生回路１８には、待機用電源回路１６から動作電源が供給されている。以下この状態を電子機器の待機状態と呼称する。
【００１０】
この電子機器の待機状態では、リモコン受光回路１１、制御マイコン１２、クロック発生回路１５及び再起動信号回路発生回路１８に動作電力が供給されているために、リモコン受光回路１１と再起動信号発生回路１８とでは、数ｍＷの電力が消費され、制御マイコン１２とクロック発生回路１５とでは数十ｍＡ以上の電流が流れて、最低でも１００ｍＷの電力が消費される。
【００１１】
主電源回路１４をオフとする電源モードにより、クロック発生回路１５から制御マイコン１２への基準クロック信号の供給を停止し、待機用電源回路１６から制御マイコン１２のメモリバックアップ用の電力のみを供給する省電力モードにすると、制御マイコン１２の電源電流は１μＡ以下となり、消費電力も数μＷ程度となる。このように、主電源回路１４をオフとした際に、制御マイコン１２に供給するクロック発生回路１５からの基準クロック信号を停止し、更に、待機用電源回路１６からクロック発生回路１５への電源供給を停止することにより、制御マイコン１２は省電力モードとなる。
【００１２】
制御マイコン１２は、これに備えられた専用端子に入力される立ち上がり信号のエッジで省電力モードを解除できるようになっており、省電力モードに移行した後、再起動信号発生回路１８から制御マイコン１２の専用端子に再起動信号を供給して、省電力モードを解除し、待機モードに移行させるようになっている。
【００１３】
この再起動信号発生回路１８の動作について、図７の信号波形図を用いて詳細に説明する。図７（ａ）は、図示されていないリモコン発信手段のキー操作により、リモコン受光回路１１が受信して、制御マイコン１２に出力するリモコンパルスコードを示す動作波形である。図中の時間ｔ０〜ｔ３の期間は、リモコン受光回路１１の出力が無出力状態を示している。時間ｔ３は、リモコン受光回路１１からの出力開始位置を示している。
【００１４】
時間ｔ３〜ｔ４の９ｍｓ（ミリセカンド）期間は、リモコンパルスコードのリーダ部分であり、時間ｔ５〜ｔ６の５４ｍｓ期間は、リモコンパルスコードのパルス列の期間で、３２ビットのリモコンパルスコード列で表現される。なお、時間ｔ４〜ｔ５の期間は、リーダ部分とパルス列の区分を明確にする期間である。
【００１５】
すなわち、リモコン受光回路１１から出力された時間ｔ３〜ｔ４のリーダ部分と、時間ｔ４の４．５ｍｓ後の時間ｔ５〜ｔ６の期間のパルス列の内容を基にして、主電源回路１４のオン・オフを始めとする信号処理・動作回路１３の動作を制御している。
【００１６】
リモコン発信手段の電源キーを押下すると、このようなリモコンパルスコードが出力されて主電源回路１４がオフとなる。すると、主電源回路１４から信号処理・動作回路１３への電源供給は停止され待機状態となり、且つ、クロック発生回路１５から制御マイコン１２への基準クロック信号の供給を停止すると、制御マイコン１２が省電力モードとなる。
【００１７】
次に、主電源回路１４がオフで、且つ、制御マイコン１２が省電力モードの状態から、待機モードに再起動させるタイミングについて、図７（ｂ）を用いて説明する。
【００１８】
この制御マイコン１２を省電力モードから待機モードに再起動させるために、図７（ａ）に示した通常動作のリモコンパルスコード波形の時間ｔ３のリーダ部分の開始前の時間ｔ０〜ｔ３の期間に約２００ｍｓの再起動パルスを付加したリモコンパルスコード形式を使用している。
【００１９】
この再起動パルスを付加したリモコンパルスコードがリモコン発信手段から発信されると、リモコン受光回路１１がこれを受信し、且つ、制御マイコン１２と再起動信号発生回路１８にこの受信信号が供給される。一方、制御マイコン１２は省電力モード状態のために、再起動パルス付リモコンパルスコードの解読は出来ない。
【００２０】
再起動信号発生回路１８は、供給された再起動パルス付リモコンパルスコードにおける時間ｔ０〜ｔ３の期間の再起動パルスを検出し、且つ、検出した再起動パルスを基に立ち上がりパルスを生成して、制御マイコン１２に供給して、省電力モードを解除する。この再起動信号発生回路１８は、積分回路と単安定マルチバイプレータ等で構成し、積分回路の時定数Ｔは、１００ｍｓ程度に設定されている。
【００２１】
この１００ｍｓの期間内に再起動パルスが存在する際にトリガ信号を発生させ、このトリガ信号を単安定マルチバイプレータにて立ち上がりパルスを発生させる。この立ち上がりパルスの発生状態を図７（ｃ）に示している。図７（ｂ）に示した時間ｔ０〜ｔ２の期間の再起動パルスにより、時間ｔ０から時定数Ｔの１００ｍｓの時点の時間ｔ１で、立ち上がりパルスが生成される。
【００２２】
再起動信号発生回路１８で生成された立ち上がりパルスは、制御マイコン１２に再起動信号として供給される。立ち上がりパルスが入力された制御マイコン１２は、図７（ｄ）に示すように、時間ｔ１のタイミングで、省電力モードを解除し、クロック発生回路１５から基準クロック信号を供給して発振クロック周波数が安定するウォーミングアップ後の時間ｔ２のタイミングで待機モードを再度開始する。そして、制御マイコン１２は、時間ｔ３のタイミングからリモコンパルスコードの読み込みを実施する。
【００２３】
この時、リモコン受光回路１１から主電源回路１４の電源をオンするパルスコードが出力されると、制御マイコン１２は主電源回路１２をオンする信号が出力され、信号処理・動作回路１３に動作電源供給を開始し、電子機器が通常動作を開始する。
【００２４】
以上説明した回路構成を用いた消費電力低減の制御方法としては、以下の方法がある。
制御マイコン１２の制御プログラムでは、再起動パルスによって制御マイコン１２が待機モードに移行した後、通常のリモコンパルスコードがリモコン受光回路１１から制御マイコン１２に出力されない場合、つまり、ノイズ信号で再起動した場合、クロック発生回路１５を停止し、制御マイコン１２を省電力モードに戻すようにしている。
【００２５】
つまり、再起動信号発生回路１８からの再起動立ち上げパルスによって、制御マイコン１２が待機モードに移行後、所定の時間が経過しても、主電源回路１４をオンするリモコンパルスコードがリモコン受光回路１１から制御マイコン１２に供給されない場合、制御マイコン１２を省電力モードに戻すものであり、制御マイコン１２が待機モードに移行した後、例えば１秒間通常リモコンパルスコードが供給されないと、制御マイコン１２を再度省電力モードに戻すことにより、不要な電力消費を回避するようにしている（例えば、特許文献１参照。）。
【００２６】
ところで、近年、このような省電力装置が求められる一方、電話などを介して留守宅のエアコンなどを制御する遠隔制御装置が市販されるようになり、現在のエアコンでも、この遠隔制御装置からの制御信号により、エアコンの運転を制御できるようになっている。
この制御信号はエアコンの通常運転時はもちろん、運転を停止した待機状態（主電源オフ状態）でも監視されており、いかなる場合でも受け付けるようになっている。このため、待機状態において、リモコン送信機からの電源オンのコマンド監視と共に、この制御信号も同時にポーリーング動作によって監視されていた。
【００２７】
さらに、エアコン設置のメンテナンスに使用される強制自動スイッチの状態（オン／オフ）も同時にポーリーング動作によって監視されており、このスイッチをオンにすることにより、リモコン送信機がなくてもエアコンを運転することができるようになっている。
【００２８】
しかしながら、省電力装置とするために前述した省電力モードの構成にすると、リモコン送信機からの電源オンのコマンドは問題ないが、ポーリングによる信号の監視ができなくなり、遠隔制御装置からの制御信号や、強制自動スイッチの状態信号に対応できないという問題があった。
【００２９】
【特許文献１】特開平１１−２７２３７１号公報（第４−５頁、図２）
【発明の開示】
【発明が解決しようとする課題】
【００３０】
本発明は以上述べた問題点を解決し、省電力モードを備えた電子機器において、省電力モード時に、遠隔制御装置からの制御信号や、強制自動スイッチの状態信号を受け付けると共に、これらを制御する電子機器を提供することを目的とする。
【課題を解決するための手段】
【００３１】
本発明は上述の課題を解決するため、赤外線リモコン受信回路を制御する制御手段の指示により同制御手段の動作クロックが停止され、所定の起動信号により前記制御手段の動作クロックが起動される省電力モードと、前記動作クロックが起動して通常動作を行なう通常モードとを切り換えて動作するリモコン受信回路を備えた電子機器において、
前記制御手段に、前記電子機器の運転を機器の外部から指示する遠隔制御装置からの制御信号や前記電子機器を強制運転させる強制自動スイッチなどの信号を前記起動信号として入力すると共に、
前記リモコン受信回路で受信した前記起動信号と機器外部からの前記起動信号とに対応して前記省電力モードを一括管理する状態判断モードを設ける。
【００３２】
また、前記状態判断モードは、前記起動信号が有効であることを確認するステップと、前記電子機器の制御対象ブロックの停止を表す複数の省電力モード移行条件がすべて満足されたこと確認するステップと、前記省電力モードへ移行するステップとを備えてなる構成にする。
【発明の効果】
【００３３】
以上の手段を用いることにより、本発明によるリモコン受信回路を備えた電子機器によれば、
請求項１に係わる発明は、省電力モードを備えた構成であっても、リモコン信号だけでなく、遠隔制御装置からの制御信号や、強制自動スイッチの状態信号に対応してエアコン運転を行なうことができる。
また、省電力モードにおける起動／停止の制御を集中的に管理することにより、複数の起動信号が有る場合でも、容易に制御することができる。さらに、リモコン信号による省電力モードの管理ルーチンと、遠隔制御装置からの制御信号などの管理ルーチンとを共用できるため、処理ルーチンを簡素化することができる。
【００３４】
請求項２に係わる発明は、起動信号に類似するノイズ信号を排除し、かつ、電子機器の制御対象ブロックの停止を確認してから省電力モードへ移行するため、ノイズによる無用な電力消費を低減させ、また、機器の完全停止を確認できるため、省電力制御を確実に行なうことができる。
【発明を実施するための最良の形態】
【００３５】
以下、本発明の実施の形態を、添付図面に基づいた実施例として詳細に説明する。本発明の特徴は省電力モードを備えた電子機器において、リモコン信号だけでなく、遠隔制御装置からの制御信号や、強制自動スイッチの状態信号に対応してエアコン運転を行なうことができることにある。このため、通常動作を行なう通常モードと、省電力モードとに加え、省電力モードから復帰させる複数の起動信号に対応して省電力モードを一括管理する状態判断モードを設けている。
【実施例１】
【００３６】
図１は本発明によるリモコン受信回路を備えた電子機器（エアコン）の要部ブロック図である。このエアコンは、室内機１と室外機２とで構成されている。室外機２は内蔵された図示しない圧縮機や熱交換器や、これらを制御するマイコン２ａを備えており、マイコン２ａは室内機１のマイコンと通信を行なって制御指示を受け、これに従って室外機の運転を行なうようになっている。
【００３７】
室内機１は、図示しないリモコン送信機から送信される赤外線のリモコン信号を受信するフォトアンプ３と、同フォトアンプ３から出力されるリモコン信号が入力ポートに接続され、エアコン全体を制御する制御手段であるマイコン４と、フォトアンプ３から出力されるリモコン信号を入力すると共に、出力信号がマイコン４の割込み端子（ＩＮＴ１）へ接続され、所定幅以上のパルスのみ通過させるパルス検出回路５と、メンテナンス時に使用する強制自動スイッチ６と、図示しない遠隔操作制御機器からのコントロール信号が接続されたＨＡ端子７と、マイコン４の指示により所定の回転数で回転するファンモータ８と、マイコン４の指示により所定の表示内容を表示する表示部９とを備えている。なお、強制自動スイッチ６はマイコン４の割込み端子（ＩＮＴ２）へ、また、ＨＡ端子７は割込み端子（ＩＮＴ３）へ、それぞれ接続されている。なお、フォトアンプ３とパルス検出回路５とマイコン４とには図示しない電源回路が接続され、常に電源が供給されている。
【００３８】
パルス検出回路５の中には抵抗とコンデンサとで約２０ｍＳの時定数回路を構成しており、その積分動作によって受信した赤外線信号から、背景技術で説明した再起動パルスのみを取り出すと共に、２０ｍＳ以下のノイズをカットするようになっている。
【００３９】
マイコン４は省電力モードを備えており、内蔵されたクロック信号発振回路４ａを停止させることにより、停止時にほとんど電力を消費しない構成になっている。また、マイコン４自身の命令により、一旦、クロック信号発振回路４ａを停止させると、マイコン４自身ではクロック信号発振回路４ａを再起動することができない。従って、クロック信号発振回路４ａを起動させてマイコン４を通常の動作に復帰させるためには、マイコン外部からの起動信号が必要である。
【００４０】
マイコン４のＩＮＴ１〜３の端子がこの起動信号の受付端子であり、省電力モード時にこの端子に立ち下がり、又は立ち上がりの信号が入力されると、内部のクロック信号発振回路４ａを起動するように構成されている。なお、ＩＮＴ端子に起動信号が入力されるとクロック発振は開始されるが、その信号レベルや周波数は一定時間が経過しないと安定しない。この時間は一般的に２０〜３０ｍＳ程度であり、このため、実際にマイコン４が処理を開始するのは、ＩＮＴ端子に起動信号が入力されてから約３０ｍＳのウォーミングアップ期間が経過してからとなる。
【００４１】
このように内部のクロック信号発振回路４ａが起動され、マイコン４が動作を開始するとマイコン４の入力ポートから入力されるリモコン信号からのリモコンコード取り出しや、強制自動スイッチ６の状態確認やＨＡ端子７からの遠隔操作コマンドの受信が可能になり、これらのリモコンコードや遠隔操作コマンドや強制自動スイッチ６の状態により、ファンモータ８の制御や表示部９の表示や室外機２への動作指示（運転指示）を出すようになっている。
【００４２】
なお、リモコンコード受信や遠隔操作コマンド受信、強制自動スイッチ６のオン／オフは、いつ変化するか予測できず、また、同時に変化しても、個々に変化しても、任意のタイミングで受け付ける必要がある。さらに、これらに類似するノイズも検出する可能性があり、正規の信号とノイズとを区別する必要もある。
【００４３】
このため、本実施例では図３の状態遷移図に示すように、室内機１の動作を３つのモードに分類し、それぞれのモードに遷移する条件を規定することで、複雑な制御処理を簡単な制御処理にしている。具体的にはこの３つのモードを、省電力モードと状態判断モードと通常モードとに分類している。
【００４４】
省電力モードはマイコン４のクロック信号発振回路４ａを停止させるモードであり、マイコン４に電源が供給されていても動作せず、電力をほとんど消費しないモードである。
一方、通常モードはエアコンを通常運転させるモードであり、指定された運転条件で冷房や暖房、エアフィルタの清掃動作を行なうモードである。
【００４５】
状態判断モードは現在の機器動作状態を常に判断しており、現在動作中の制御ブロック、例えば、図示しない風向板制御モータやエアフィルタの清掃用モータ、室外機の圧縮機モータなどが完全に停止中であり、かつ、リモコンによる操作指示や外部機器、例えば遠隔操作制御機器からのコマンドがないことを確認するモードである。これらの条件が満たされれば、省電力モードへ移行する。
【００４６】
これらの条件が満たされない場合、つまり、前述した少なくとも１つ以上の制御ブロックが動作中であったり、リモコン信号を受け付け中であったり、遠隔制御コマンドを受け付け中などの場合は、対応する処理を行なうために、通常モードへ各指示の伝達を行なうと共に移行する。
【００４７】
次に各モードの関連について説明する。まずエアコンの室内機１のコンセントが接続されると、状態判断モードへ移行する前に、エアコン内の初期化と各機器のエラーチェックが行なわれる。もし、機器のエラーが検出されたら、状態判断モードへは移行せずにエラーの原因を表示部９で表示したまま待機する。
【００４８】
機器のエラーがなければ状態判断モードへ移行して現在の機器状態を判断する。状態判断モードで約２０秒間待機し、何も状態が変化しなければ、つまり、省電力モード移行への条件が確認されたら、マイコン４の命令によりクロック信号発振回路４ａのクロックを停止する。（省電力モードへの移行）
【００４９】
一旦、省電力モードへ移行すると、ハードウェア信号（ＩＮＴ信号）からなる起動信号でしか状態判断モードへ復帰できない。つまり、赤外線リモコンによる電源オンのリモコンコード受信、遠隔操作コマンドの受信、強制自動スイッチのオンのいずれか１つ以上の信号が必要である。
【００５０】
ただし、前述したようにこれらの信号に類似したノイズでマイコン４が起動し、省電力モードから状態判断モードへ移行する場合が考えられる。この場合は状態判断モード内で起動要因と対応する各指示を取込んで確認することで、ノイズか正規の信号かを判定することが出来る。起動信号がノイズの時は、再度、省電力モードへ移行する。
【００５１】
起動信号がノイズでなく正規の信号であれば取り込んだ各指示を通常モードへ伝達すると共に通常モードへ移行する。そして、通常モードでは伝達された各指示に従ってエアコンを運転する。また、通常モードではエアコン運転停止の指示が入力されると、つまり、リモコンや遠隔操作コマンドや強制自動スイッチのオフによる運転停止指示が入力されると、この運転停止の指示を状態判断モードへ伝達すると共に、状態判断モードへ移行する。
【００５２】
一方、この運転停止指示が伝達されると状態判断モードでは、現在の機器動作状態を判断し、条件が満たされれば、省電力モードへ移行する。この条件は図示しないマイコン４の記憶部にテーブルとして格納されており、マイコン４が前述した制御ブロックの制御を開始したときに動作中の旨を記憶し、制御が終了した時に動作終了の旨を記憶するようになっている。なお、制御ブロックの制御は割込みを介して実行される場合が多く、完全な制御の終了は割り込みルーチン内で管理しており、実際にはこの割り込みルーチン内で記憶部のテーブルを書き換えるようになっている。
【００５３】
図４はこの省電力モードへ移行するための条件を管理するテーブル内容の一例を示しており、項目の１から１０までの全ての条件が揃わない限り、省電力モードへ移行することがない。次にこの条件について各項目ごとに説明する。
【００５４】
項目１：エアコン運転停止中。これは、冷暖房や除湿、除霜運転など、圧縮機を使用した運転を停止している状態を表す。項目２：タイマ予約なし。この実施例ではマイコン４でタイマの時間管理を行なっており、タイマ予約が設定されているとこの時間管理を実施するため、省電力モードへ移行することができない。なお、タイマー管理を時計用集積回路などで行い、タイムアップ信号でマイコン４を起動できるようにしてあれば、この項目は条件から外してよい。
【００５５】
項目３：自動運転の設定なし。所定時刻に運転を開始し、所定時刻に運転を停止する自動運転が設定されていると、前述のタイマ予約と同様の理由により省電力モードへ移行することができない。項目４：フィルタの自動清掃停止中。このエアコンにはエアフィルタの自動清掃装置が内蔵されており、たとえエアコン運転停止中であっても、この自動清掃装置が運転中の場合は省電力モードへ移行することができない。
【００５６】
項目５：主電源切断中。室外機のファンの結露を防止する予熱電源を含む主電源が切断されていない場合は省電力モードへ移行することができない。項目６：表示部での表示なし。表示部で表示中、例えばエラー表示や時計表示の場合は、省電力モードへ移行することができない。項目７：工程検査プログラム未起動。これはエアコン製造時や設置検査などで用いられる工程検査プログラムが未起動であることの確認で、起動中は省電力モードへ移行することができない。
【００５７】
項目８：起動要因なし。これは、省電力モードへ移行する前の確認において、リモコン信号の受信、遠隔操作コマンドの受信、強制自動スイッチがオフであることの確認である。項目９：室外機との通信なし。これは、室外機との交信中でないことの確認である。交信が完了するまでは省電力モードへ移行することができない。項目１０：各リソースの停止。これは現在動作中の制御ブロックがないことを意味しており、例えば各モータや脱臭機などが運転を停止している状態を表している。
【００５８】
従って、これら全ての条件が満たされた場合のみ、省電力モードへ移行することができる。このような条件テーブルで管理することにより、確実なモード移行を実現することができると共に、モード制御を容易に、また、簡単に実施することができる。
【００５９】
次に以上説明した各モードの移行について図２のタイムチャートを用いて説明する。図２（Ａ）はフォトアンプ３から出力されるリモコン信号であり、アクティブロー表記である。図２（Ｂ）はマイコン４のＩＮＴ１端子の信号（起動パルス）を示している。図２（Ｃ）はクロック信号発振回路４ａのクロック発振波形を示しており、図２（Ｄ）はマイコン４の各モードの移行状態を示しており、図２（Ｅ）はＨＡ端子信号（遠隔操作コマンド）を、図２（Ｆ）は強制自動スイッチの状態（オン／オフ）をそれぞれ表している。なお、リモコン信号と遠隔操作コマンドと強制自動スイッチのオンとは、説明の都合上、同じタイミングで記載しているが、これらのうち、少なくとも１つ以上の信号があればよい。
【００６０】
図２（Ａ）は、マイコン４が通常動作の時に受け付けるリモコン信号であるリモコンコード（リーダー信号に続く複数のパルス列）の先頭に、１４０ｍＳの再起動パルスが付加された様子を表している。再起動パルスは信号がローレベル、つまりオン状態であるオン部（ｔ２＝４０ｍＳ）と、これに続き、信号がハイレベル、つまりオフ状態であるオフ部（ｔ３＝１００ｍＳ）とで構成されている。
【００６１】
図２（Ｂ）の再起動パルスはマイコン４が省電力モード時に、これを解除するためだけに使用されるパルスであり、マイコン４が通常モードの場合はリモコンコード部分のみが図示しないリモコン送信機から送信される。従って、この信号はエアコンの主電源を投入するためにリモコン送信機の電源ボタンを押下したときのみに発生するパルスである。
【００６２】
図２（Ｃ）は、マイコン４に内蔵されたクロック信号発振回路４ａでのクロック発振波形を示している。図２（Ｂ）の起動パルス信号の立ち下がりにより、マイコン４のＩＮＴ１端子からマイコン４のクロック信号発振回路４ａへ発振開始信号が出力され、これに対応してクロックが発振を始める。ただし、クロック発振のウォーミングアップ時間（ｔ４＝３０ｍＳ）が経過しないとクロックが安定しない。また、状態判断モードにおいて、省電力モードへの移行条件が揃うと、マイコン４は自らクロック停止命令を実行し、クロック信号発振回路４ａが停止する。
【００６３】
図２（Ｄ）はマイコンの状態（モード状態）を示しており、クロック発振停止の省電力モードから、起動パルスの入力によるクロック発振開始、ウォーミングアップ期間を経て状態判断モードへ移行し、さらに通常モードへ移行し、状態判断モードを経由して省電力モードへ移行する様子を表している。
【００６４】
図２（Ｄ）において、状態判断モードで起動パルスに続くリモコンコードを受信し、電源オンのコマンドであれば通常モードへ移行し、エアコンの運転を開始する。通常モードでは、リモコン送信機から送信されるリモコンコード（キー信号）を受信し、この指示に従ってエアコンの運転を制御するが、電源オフのコマンド（キー信号）を受信すると、状態判断モードへ移行し、ここで省電力モード移行条件を判断し、問題なければ省電力モードへ移行する。
【００６５】
図２（Ｅ）は、図示しない遠隔操作機器からエアコンの制御コマンド、例えば「冷房運転開始」を受信した場合に出力される信号を表しており、２００ｍＳ程度の長いパルスがＨＡ端子を介して入力された状態を表している。この信号はマイコン４のＩＮＴ３に入力され、この立ち上がりでマイコン４のクロック信号発振回路４ａが動作を開始する。このコマンド自体の処理は通常モード内で実行される。エアコン運転中（通常モード）に「運転中止」のコマンドをＨＡ端子を介して受け付けると、状態判断モードへ移行し、ここで省電力モード移行条件を判断し、問題なければ省電力モードへ移行する。
【００６６】
図２（Ｆ）は、強制自動スイッチの状態であり、立ち下がり（オン）でＩＮＴ２へ割込みが発生し、マイコン４のクロック信号発振回路４ａが動作を開始する。そして、通常モードへ移行して強制自動運転を開始する。強制自動スイッチのオフで状態判断モードへ移行し、ここで省電力モード移行条件を判断し、問題なければ省電力モードへ移行する。
【００６７】
次に図５のマイコン４の動作フローチャートを用いて各モードの動作について説明する。なお、以降のフローチャートにおいて、ＳＴはステップを表し、これに続く番号はステップ番号を示す。さらに、ＹはＹｅｓを、ＮはＮｏをそれぞれ示す。また、リモコンコード受信、遠隔操作コマンド受信、強制自動スイッチの状態などは割込みで処理されるため、これらのコマンド入力とは、対応するメモリ内容の確認を意味している。
【００６８】
コンセントが接続されるとマイコン４のプログラムが開始され、まず、機器のエラーチェックを行なう（ＳＴ１）。そして、エラーがある場合（ＳＴ２−Ｙ）は機器の全動作を停止すると共に、表示部９にエラー表示を表示させ、処理を終了する（ＳＴ３）。なお、ここまでは、初期ルーチンであり、各モードの範囲外である。
【００６９】
機器のエラーがない場合（ＳＴ２−Ｎ）は、２０秒のタイマをセットする（ＳＴ１０）。そして、有効な起動コマンドが有るか確認する（ＳＴ１１）。有効なコマンドとは、電源オンのリモコンコード受信、遠隔操作コマンド受信（ｔ５＝２００ｍＳ）、強制自動スイッチのオンの内、少なくとも１つ以上の存在を意味する。
【００７０】
有効な起動コマンドが無い場合（ＳＴ１１−Ｎ）は、ノイズなどの受信か、又は通常モードが停止処理を実行したと判断し、次に省電力モードへの移行条件が満足されているか確認する（ＳＴ１２）。移行条件の満足は、図４で説明した省電力モードへの移行条件テーブルを参照すると判明する。移行条件が満足されない場合（ＳＴ１２−Ｎ）、ＳＴ１１へジャンプする。
【００７１】
移行条件が満足された場合（ＳＴ１２−Ｙ）、次にタイマが２０秒経過したか確認する（ＳＴ１３）。タイマが２０秒経過しない場合は（ＳＴ１３−Ｎ）、ＳＴ１１へジャンプする。この２０秒の待ち時間は、モータ制御などの処理が完了して、移行条件を満足するまでの最大待ち時間である。前述のように割込みルーチン内で制御している場合は、この処理が完全に終了するのを待っている。また、この時間の間に新たな起動コマンドが発生していないかをＳＴ１１で同時に確認している。
【００７２】
タイマが２０秒経過した場合は（ＳＴ１３−Ｙ）、新たな起動コマンドがなく、かつ、移行条件が満たされているので、クロックの停止命令を実行する（ＳＴ１４）。この命令の実行によりクロックの発振が停止し、マイコン４は動作を停止する。つまりこの状態が省電力モードであり、起動信号が発生するまではマイコン４は一切動作しない。
以上説明したＳＴ１０〜ＳＴ１４までが状態判断モードである。
【００７３】
省電力モードにおいて、起動信号が発生すると、つまり、リモコン信号による起動パルスの立ち下がり、ＨＡ端子信号の立ち上がり、強制自動スイッチの立ち下がりのうち、少なくとも１つが発生すると、前述のようにクロックの発振が開始されて省電力モードを抜け、ＳＴ１０へジャンプする。
【００７４】
そして、ＳＴ１１で有効な起動コマンドが有るか確認し、有効なコマンドであると判断すると（ＳＴ１１−Ｙ）、通常モードの入口であるＳＴ２０へジャンプする。
【００７５】
通常モードではまず最初に、起動信号に対応するコマンド（複数の起動信号が有れば、それぞれに対応するコマンド）を実行する（ＳＴ２０）。これはリモコンコードの電源オンや、遠隔操作コマンドや、強制自動スイッチのオンなどに対応して、前回の運転（冷暖房など）再開や、強制自動運転などを行なう処理である。
【００７６】
そして、各運転では室外機の制御や複数のモータ、各種デバイスの制御を行なうため、これに対応して省電力モード移行条件テーブルを更新する（ＳＴ２１）。そして、次のコマンド入力を確認する（ＳＴ２２）。コマンド入力が無ければ（ＳＴ２２−Ｎ）、ＳＴ２２へジャンプする。
【００７７】
コマンド入力がある時（ＳＴ２２−Ｙ）、そのコマンドは運転の停止コマンドか確認する（ＳＴ２３）。コマンドが運転の停止コマンドでなければ（ＳＴ２３−Ｎ）、通常のコマンドであるため、これを実行するためＳＴ２０へジャンプする。
【００７８】
コマンドが運転の停止コマンドであれば（ＳＴ２３−Ｙ）、運転停止処理を実行し（ＳＴ２４）、これと対応して省電力モード移行条件テーブルを更新する（ＳＴ２５）。そして、通常モードを抜けて状態判断モードの入口であるＳＴ１０へジャンプする。なお、ＳＴ２０〜２５が通常モードの範囲である。
【００７９】
以上説明したように、制御手段に、電子機器の運転を機器の外部から指示する信号を起動信号として接続すると共に、リモコン受信回路で受信した起動信号と機器外部から入力した起動信号とに対応して省電力モードを一括管理する状態判断モードを設けている。このため、省電力モードを備えた構成であっても、リモコン信号だけでなく、遠隔制御装置からの制御信号や、強制自動スイッチの状態信号に対応してエアコン運転を行なうことができる。
【００８０】
また、省電力モードにおける起動／停止の制御を集中的に管理することにより、複数の起動信号が有る場合でも、容易に制御することができる。さらに、リモコン信号による省電力モードの管理ルーチンと、遠隔制御装置からの制御信号などの管理ルーチンとを共用できるため、処理ルーチンを簡素化することができる。
【００８１】
また、前述した状態判断モードは、起動信号が有効であることを確認するステップと、電子機器の制御対象ブロックの停止を表す複数の省電力モード移行条件がすべて満足されたこと確認するステップと、省電力モードへ移行するステップとを備えているため、起動信号に類似するノイズ信号を排除し、かつ、電子機器の制御対象ブロックの停止を確認してから省電力モードへ移行するため、ノイズによる無用な電力消費を低減させ、また、機器の完全停止を確認できるため、省電力制御を確実に行なうことができる。
【００８２】
なお、本実施例ではエアコンを例として説明しているがこれに限るものでなく、テレビやオーディオ製品など、省電力モードを備えた機器であれば幅広く応用することができる。
【図面の簡単な説明】
【００８３】
【図１】本発明によるリモコン受信回路を備えたエアコンの実施例を示す要部ブロック図である。
【図２】本発明によるリモコン受信回路を備えたエアコンのタイミングチャートの一例である。
【図３】各モードの関係を示す状態遷移図である。
【図４】省電力モードへの移行条件を示すテーブルの内容である。
【図５】本発明によるマイコン（制御手段）での各モードの処理を示すフローチャートである。
【図６】従来のリモコン信号受信回路を用いた省電力装置のブロック図である。
【図７】従来のリモコン信号のタイミングを示すタイムチャートである。
【符号の説明】
【００８４】
１  室内機
２  室外機
２ａ  マイコン
３  フォトアンプ
４  マイコン
４ａ  クロック信号発振回路
５  パルス検出回路
６  強制自動スイッチ
７  ＨＡ端子
８  ファンモータ
９  表示部
【図１】
2007221397.tif 000003
【図２】
2007221397.tif 000004
【図３】
2007221397.tif 000005
【図４】
2007221397.tif 000006
【図５】
2007221397.tif 000007
【図６】
2007221397.tif 000008
【図７】
2007221397.tif 000009